(57)【特許請求の範囲】
【請求項１】
物体側より順に、全体として負の屈折力を有する第１レンズ群、絞り、および全体として正の屈折力を有する第２レンズ群が配列されてなる撮像レンズにおいて、
前記第１レンズ群が、物体側から順に、最も物体側に配された複数枚の負レンズと結像面側に凸面を向けた１枚の正メニスカスレンズを有する第１ａレンズ群、最も物体側に単独の負レンズを配された全体として負の屈折力を有する第１ｂレンズ群、および少なくとも１組の負レンズおよび正レンズを備えた第１ｃレンズ群を配列してなり、
無限遠物点から至近物点にフォーカシングする際には、前記単独の負レンズを物体側に繰り出して行い、
さらに、前記単独の負レンズが下記条件式（１）を満足するように構成されてなることを特徴とする撮像レンズ。
0.05＜ｆn／ｆ1b＜0.50        ・・・・・・・（１）
ただし、
ｆｎ：フォーカシングする際に移動する単独の負レンズの焦点距離
ｆ1b：第１ｂレンズ群全体の焦点距離
【請求項２】
前記第２レンズ群が、少なくとも１枚の異常分散性ガラスからなる正レンズを含むとともに、前記第１レンズ群が、下記条件式（２）を満足する負レンズを少なくとも１枚含むことを特徴とする請求項１記載の撮像レンズ。
ｄｎ／ｄｔ＜-0.000005        ・・・・・・・（２）
ただし、
ｄｎ／ｄｔ：温度による屈折率の変化（/℃）
【請求項３】
前記第２レンズ群は、物体側から順に、第２ａレンズ群および第２ｂレンズ群を配列されてなり、前記第１レンズ群および前記第２ａレンズ群の合成焦点距離がほぼ無限大となるように構成し、前記第２ｂレンズ群を光軸に沿って移動させることによりバックフォーカス長を調整することを特徴とする請求項１または２記載の撮像レンズ。
【請求項４】
請求項１から３のうちいずれか１項記載の撮像レンズを筐体内に収納してなることを特徴とする撮像装置。
【発明の詳細な説明】
【０００１】
【発明の属する技術分野】
本発明はテレビカメラに適した固定焦点の撮像レンズに関し、特に、２群構成で長いバックフォーカスを有する広角な撮像レンズおよび撮像装置に関するものである。
【０００２】
【従来の技術】
近年、例えば、シネマ用の映像を撮像し得る、いわゆるＥシネマ用カメラと称されるテレビ放送用撮像カメラが知られている。
【０００３】
このＥシネマ用カメラに用いられる撮像レンズは、通常のテレビ放送用撮像カメラに比して、さらなる広角化および結像面全域における高性能化が要求される。
また、このようなＥシネマ用カメラにおいて固体撮像素子を用いる場合には、通常のテレビ放送用撮像カメラと同様に、撮像レンズと固体撮像素子との間にローパスフィルタや赤外カットフィルタが配設されるため、撮像レンズのバックフォーカスを長くする必要がある。さらに、各原色光毎に撮像素子を用いたいわゆる多板式のものにおいては、各固体撮像素子の前段において色分解プリズムが配設されるため、撮像レンズのバックフォーカスはさらに長く設定する必要がある。
【０００４】
一方、上述したようなテレビ放送用撮像カメラにおいて、フォーカシングに伴う諸収差変動や画角変動を抑制するためインナーフォーカス方式を採用することが好ましい。
【０００５】
このような各種の要求を満足させたものとして本出願人が既に開示している、特開平4-118612号公報に記載されたものが知られている。この公報記載の技術は、レトロフォーカス型の高性能撮像レンズであって、画角を90゜以上としても十分に良好な性能を得ることが可能である。
【０００６】
【発明が解決しようとする課題】
しかしながら、上述した公報記載の撮像レンズにおいては、前群を構成するレンズ（前玉）の有効系を大幅に小さくすることが難しく、最近の撮像カメラのコンパクト化という要請に対して必ずしも満足し得るものとはなっていなかった。
【０００７】
例えば、同公報に記載の第１実施例の撮像レンズにおいては、焦点距離が5.0ｍｍ、Ｆナンバが1.8、画角95.5度の条件下（イメージサークルφ11.0mm）において前玉有効径がφ95.0ｍｍとなっており、これを半分程度のサイズにしたいという要求があった。
【０００８】
本発明はこのような事情に鑑みなされたもので、レトロフォーカス型の高性能撮像レンズにおいて、前玉有効径を大幅に小さくすることが可能で、撮像カメラのコンパクト化を図りうる撮像レンズおよび撮像装置を提供することを第１の目的とするものである。
【０００９】
一方、上述したような撮像カメラ用撮像レンズにおいて、フォーカシングに伴なう諸収差変動や画角変動を抑制するためインナーフォーカス方式を採用するものが知られている。
【００１０】
この種の広角な撮像レンズにおいてインナーフォーカス方式を採用したものとしては、上記公報記載のもののほか、特開2000-131606号公報に記載された撮像レンズが知られている。この公報記載のものは、２群構成とされ、前群を構成する２つのレンズ群のうち結像面側の正レンズ群(第1−2群)が前後に移動することによってフォーカシングを行なうように構成されている。
【００１１】
しかしながら、この公報記載の撮像レンズは、全系の焦点距離に対するバックフォーカスの比（レトロ比）が2.6程度であり、必ずしもバックフォーカスが十分とはなっていなかった。
【００１２】
また、前述した特開平4-118612号公報に記載されたものにおいては、前群を構成する２つのレンズ群のうち結像面側のレンズ群を移動させるとともに後群をも移動させることによってフォーカシングを行なうように構成されており、フォーカシングのためのメカ的機構が複雑化する。さらに、フォーカシングに伴なう画角の変動が少なくないことから、前述したＥシネマ用カメラ等に搭載することが必ずしも適切とはいえない場合も生じる。
【００１３】
本発明はこのような事情にも鑑みなされたもので、上記第１の目的に加え、特にＥシネマ用等のテレビ放送用撮像カメラに用いられる、インナーフォーカス方式を採用した撮像レンズにおいて、フォーカシングのメカ的機構を複雑にすることなく、またフォーカシングに伴なう画角変動を大きくすることなくフォーカシングに伴なう諸収差の変動を抑制することができ、さらに、バックフォーカスを十分に確保することができる撮像レンズおよび撮像装置を提供することを目的とするものである。
【００１４】
さらに、上述した広角な撮像レンズにおいては、色収差を良好に補正したいという要請があり、この要請に対応したものとして、第２レンズ群中の正レンズに異常分散性ガラスを用いたものが知られている。
【００１５】
しかしながら、異常分散性ガラスは温度変化に応じた屈折率の変化が大きいという特性を有する。したがって、第２レンズ群中の正レンズに異常分散性ガラスを用いたものによっては、温度変化に伴うバックフォーカスの変化量が大きくなってしまうという問題があった。
【００１６】
本発明はこのような事情にも鑑みなされたもので、上記第１の目的に加え、レトロフォーカス型の高性能撮像レンズにおいて、温度変化に伴うバックフォーカスの変化量を大きくすることなく色収差を良好に補正し得る撮像レンズおよび撮像装置を提供することを目的とするものである。
【００１７】
【課題を解決するための手段】
本発明による撮像レンズは、物体側より順に、全体として負の屈折力を有する第１レンズ群、絞り、および全体として正の屈折力を有する第２レンズ群が配列されてなる撮像レンズにおいて、
前記第１レンズ群が、物体側から順に、最も物体側に配された複数枚の負レンズと結像面側に凸面を向けた１枚の正メニスカスレンズを有する第１ａレンズ群、最も物体側に単独の負レンズを配された全体として負の屈折力を有する第１ｂレンズ群、および少なくとも１組の負レンズおよび正レンズを備えた第１ｃレンズ群を配列してなり、
無限遠物点から至近物点にフォーカシングする際には、前記単独の負レンズを物体側に繰り出して行い、
さらに、前記単独の負レンズが下記条件式（１）を満足するように構成されてなることを特徴とするものである。
【００１８】
0.05＜ｆn／ｆ1b＜0.50        ・・・・・・・（１）
ただし、
ｆｎ：フォーカシングする際に移動する単独の負レンズの焦点距離
ｆ1b：第１ｂレンズ群全体の焦点距離
【００１９】
また、前記第２レンズ群が、少なくとも１枚の異常分散性ガラスからなる正レンズを含むとともに、前記第１レンズ群が、下記条件式（１）を満足する負レンズを少なくとも１枚含むことを特徴とするものである。
ｄｎ／ｄｔ＜-0.000005        ・・・・・・・（２）
ただし、
ｄｎ／ｄｔ：温度による屈折率の変化（/℃）
【００２０】
また、前記第２レンズ群が、物体側から順に、第２ａレンズ群および第２ｂレンズ群を配列されてなり、前記第１レンズ群および前記第２ａレンズ群の合成焦点距離がほぼ無限大となるように構成し、前記第２ｂレンズ群を光軸に沿って移動させることによりバックフォーカス長を調整することが望ましい。
【００２１】
また、本発明による撮像装置は、上述したいずれかの撮像レンズを筐体内に収納してなることを特徴とするものである。
【００２２】
【発明の実施の形態】
以下図面を参照して本発明の実施形態について説明する。
図１には本発明の実施形態に係る撮像レンズが示されている（後述する実施例１のレンズ構成が代表して示されている）。
【００２３】
この撮像レンズは、例えば、Ｅシネマ用の撮像カメラの撮像レンズとして、カメラ筐体内に収容されるもので、物体側より順に、全体として負の屈折力を有する第１レンズ群Ｇ１、絞り３と該絞り３の結像面側に配置された、全体として正の屈折力を有する第２レンズ群Ｇ２が配列されてなるレトロフォーカスタイプの撮像レンズである。また、前記第１レンズ群Ｇ１は、物体側から複数枚の負レンズと１枚の正メニスカスレンズをこの順に配列され全体として負の屈折力を有する第１ａレンズ群Ｇ１ａ、単独の負レンズと、少なくとも１組の正レンズおよび負レンズからなる接合レンズを有し全体として負の屈折力を有する第１ｂレンズ群Ｇ１ｂ、少なくとも１組の正レンズおよび負レンズからなる接合レンズを備えた第１ｃレンズ群Ｇ１ｃからなるように構成されている。この撮像レンズに入射した光束は、３色分解光学系（ローパスフィルタ等を含む）２を介して固体撮像素子の結像面１上に結像される。
【００２４】
このように、本実施形態の撮像レンズにおいては、第１ａレンズ群Ｇ１ａを物体側から複数枚(例えば３枚とする)の負レンズと１枚の正メニスカスレンズをこの順に配列するように構成しており、光線軌跡を結像面側からみた場合、１枚の正メニスカスレンズ（図１の撮像レンズではＬ４）によって一旦絞り込まれ、次に複数枚の負レンズ（図１の撮像レンズではＬ１、Ｌ２、Ｌ３）によって大きく発散せしめられる状態となるため、前玉有効径を小さなものとしつつ広画角化を達成することができ、レンズ系全体のコンパクト化を達成することができる。
【００２５】
また、この撮像レンズは、無限遠物点から至近物点にフォーカシングする際には、第１ｂレンズ群Ｇ１ｂの単独の負レンズＧ１ｂｆを光軸Ｘに沿って物体側に移動させて行い、至近物点から無限遠物点にフォーカシングする際には、その単独の負レンズＧ１ｂｆを光軸Ｘに沿って結像面側に移動させて行なうインナーフォーカスタイプとされており、第１ｂレンズ群Ｇ１ｂの単独の負レンズＧ１ｂｆのみの移動によりフォーカシングを行なうように構成されているのでフォーカシングを行なうための駆動力を小さいものとすることができ、メカ的機構も簡易となり、製造コストも廉価となる。また、フォーカシングを行なう際の、物体距離の変化に伴なう像面特性が向上するとともに、フォーカシングに伴なう画角変動を抑制することができる。
【００２６】
また、上記単独の負レンズＧ１ｂｆは下記条件式（１）を満足するように構成されている。
0.05＜ｆn／ｆ1b＜0.50        ・・・・・・・（１）
ただし、
ｆｎ：フォーカシングする際に移動する単独の負レンズＧ１ｂｆの
焦点距離
ｆ1b：第１ｂレンズ群全体の焦点距離
【００２７】
このように、本実施形態の撮像レンズにおいては、フォーカシングする際に移動する単独の負レンズの焦点距離を規定しており、これによりフォーカシングに伴うタンジェンシャル像面の変動およびコマ収差の増大をいずれも抑制することができる。すなわち、条件式（１）の上限を上回ると、フォーカシングに伴うタンジェンシャル像面の変動が大きくなり、一方、その下限を下回ると下側光線のコマ収差が増大する。
【００２８】
さらに、本実施形態の撮像レンズにおいては、前記第２レンズ群Ｇ２中に少なくとも１枚の異常分散性ガラスからなる正レンズを含むとともに、前記第１レンズ群Ｇ１中に、下記条件式（２）を満足する負レンズを少なくとも１枚含むように構成されている。
ｄｎ／ｄｔ＜−0.000005        ・・・・・・・（２）
ただし、
ｄｎ／ｄｔ：温度による屈折率の変化（/℃）
【００２９】
このように構成することにより、前記第１レンズ群Ｇ１中に配設された、異常分散性ガラスにより形成される負レンズにおいて、温度変化に伴うバックフォーカスの変化を生ぜしめ、前記第２レンズ群Ｇ２中の異常分散性ガラスからなる正レンズにおいて生じる、上記バックフォーカスの変化方向とは逆方向の、温度変化に伴うバックフォーカスの変化を相殺することができるので、温度変化に伴うバックフォーカスの変化量を大きくすることなく色収差を良好に補正することができる。
【００３０】
上記条件式（２）の上限を上回ると上述したバックフォーカスの変化の相殺が不十分となる。
【００３１】
また、前記第２レンズ群Ｇ２は、物体側から順に、第２ａレンズ群Ｇ２ａおよび第２ｂレンズ群Ｇ２ｂを配列されてなり、前記第１レンズ群Ｇ１、前記第２ａレンズ群Ｇ２ａの合成焦点距離がほぼ無限大となるように構成され、前記第２ｂレンズ群Ｇ２ｂを光軸Ｘに沿って移動させることによりバックフォーカス長を調整するように構成されている。
【００３２】
このように構成することにより、撮像レンズをカメラ本体に接続した際に生じる光軸方向の機械的誤差を、機構的に複雑にすることなく容易に調整することが可能となる。
【００３３】
【実施例】
＜実施例１＞
この実施例１に係る撮像レンズは、前述したように図１に示す如き構成とされている。
【００３４】
以下、詳細なレンズ構成を述べる。各レンズ群および各レンズは物体側より順にレンズ番号が増加するようになっている。
【００３５】
第１ａレンズ群Ｇ１ａは、凹面を結像面側に向けた負のメニスカスレンズからなる第１レンズＬ１および第２レンズＬ２、両凹レンズからなる第３レンズＬ３ならびに凸面を結像面側に向けた正のメニスカスレンズからなる第４レンズＬ４からなる。
【００３６】
また、第１ｂレンズ群Ｇ１ｂはフォーカス用レンズＧ１ｂｆを含んでおり、強い曲率の面を結像面側に向けた、フォーカス用レンズＧ１ｂｆとして機能する両凹レンズからなる第５レンズＬ５、ならびに強い曲率の面を結像面側に向けた両凸レンズからなる第６レンズＬ６および凹面を物体側に向けた負のメニスカスレンズからなる第７レンズＬ７の接合レンズからなる。
【００３７】
また、第１ｃレンズ群Ｇ１ｃは、強い曲率の面を結像面側に向けた両凹レンズからなる第８レンズＬ８および強い曲率の面を物体側に向けた両凸レンズからなる第９レンズＬ９の接合レンズからなる。
【００３８】
また、第２ａレンズ群Ｇ２ａは、両凸レンズからなる第１０レンズＬ１０、ならびに凹面を結像面側に向けた負のメニスカスレンズからなる第１１レンズＬ１１および両凸レンズからなる第１２レンズＬ１２の接合レンズからなる。
【００３９】
また、第２ｂレンズ群Ｇ２ｂは、バックフォーカス調整群であって、凹面を結像面側に向けた負のメニスカスレンズからなる第１３レンズＬ１３および強い曲率の面を物体側に向けた両凸レンズからなる第１４レンズＬ１４の接合レンズ、ならびに強い曲率の面を物体側に向けた両凸レンズからなる第１５レンズＬ１５からなる。
【００４０】
この実施例１に係る撮像レンズの各レンズ面の曲率半径Ｒ（ｍｍ）、各レンズの中心厚および各レンズ間の空気間隔Ｄ（ｍｍ）、各レンズのｄ線における、屈折率Ｎおよびアッベ数νの値は表１に示すようになっている。なお表中の数字は物体側からの順番を表すものである（表２、３、４において同じ）。
【００４１】
【表１】
0004405128.tif 000002
【００４２】
なお、実施例１における、全系の焦点距離ｆ´（ｍｍ）、バックフォーカスＢｆ´（ｍｍ）およびＦナンバＦｎｏ、ならびに条件式（１）および条件式（２）に係る値を表１の下段に示す。表１に示すように条件式（１）、（２）はともに満足されている。ここで、実施例１において異常分散性のガラス材料からなるレンズは、負の第５レンズＬ５、負の第７レンズＬ７、正の第１２レンズＬ１２、正の第１４レンズＬ１４および正の第１５レンズＬ１５である。
【００４３】
また、実施例１の前玉有効径はφ38.4ｍｍであり広角レンズのコンパクト化を図ることができる。
【００４４】
さらに、図２は無限遠および至近にフォーカス調整した場合の実施例１における諸収差（球面収差、非点収差、ディストーション、倍率色収差、コマ収差）を示す収差図である。図２から明らかなように、実施例１の撮像レンズは諸収差が良好なものとされている。
【００４５】
＜実施例２＞
実施例２に係る撮像レンズの構成および作用は実施例１とほぼ同様であるが、主として、第１ａレンズ群Ｇ１ａの物体側から３番目のレンズである第３レンズＬ３が強い曲率の面を結像面側に向けた負のメニスカスレンズからなり、第１ｂレンズ群Ｇ１ｂの物体側から１番目のレンズである第５レンズＬ５が凹面を結像面側に向けた負のメニスカスレンズからなり、第１ｂレンズ群Ｇ１ｂの物体側から２番目のレンズである第６レンズＬ６が結像面側に凸面.を向けた正のメニスカスレンズからなる点で異なっている。
【００４６】
この実施例２に係る撮像レンズの各レンズ面の曲率半径Ｒ（ｍｍ）、各レンズの中心厚および各レンズ間の空気間隔Ｄ（ｍｍ）、各レンズのｄ線における、屈折率Ｎおよびアッベ数νの値は表２に示すようになっている。
【００４７】
【表２】
0004405128.tif 000003
【００４８】
なお、実施例２における、全系の焦点距離ｆ´（ｍｍ）、バックフォーカスＢｆ´（ｍｍ）およびＦナンバＦｎｏ、ならびに条件式（１）および条件式（２）に係る値を表２の下段に示す。表２に示すように条件式（１）、（２）はともに満足されている。ここで、実施例２において異常分散性のガラス材料からなるレンズは、負の第５レンズＬ５、負の第７レンズＬ７、正の第１２レンズＬ１２、正の第１４レンズＬ１４および正の第１５レンズＬ１５である。
【００４９】
また、実施例２の前玉有効径はφ38.4ｍｍであり広角レンズのコンパクト化を図ることができる。
【００５０】
さらに、図３は無限遠および至近にフォーカス調整した場合の実施例２における諸収差（球面収差、非点収差、ディストーション、倍率色収差、コマ収差）を示す収差図である。図３から明らかなように、実施例２の撮像レンズは諸収差が良好なものとされている。
【００５１】
＜実施例３＞
実施例３に係る撮像レンズの構成および作用は実施例１とほぼ同様であるが、主として、第１ａレンズ群Ｇ１ａの物体側から３番目のレンズである第３レンズＬ３が凹面を結像面側に向けた負のメニスカスレンズからなり、第１ｂレンズ群Ｇ１ｂの物体側から２番目のレンズである第６レンズＬ６が結像面側に凸面.を向けた正のメニスカスレンズからなる点で異なっている。
【００５２】
この実施例３に係る撮像レンズの各レンズ面の曲率半径Ｒ（ｍｍ）、各レンズの中心厚および各レンズ間の空気間隔Ｄ（ｍｍ）、各レンズのｄ線における、屈折率Ｎおよびアッベ数νの値は表３に示すようになっている。
【００５３】
【表３】
0004405128.tif 000004
【００５４】
なお、実施例３における、全系の焦点距離ｆ´（ｍｍ）、バックフォーカスＢｆ´（ｍｍ）およびＦナンバＦｎｏ、ならびに条件式（１）および条件式（２）に係る値を表３の下段に示す。表３に示すように条件式（１）、（２）はともに満足されている。ここで、実施例３において異常分散性のガラス材料からなるレンズは、負の第５レンズＬ５、負の第７レンズＬ７、正の第１２レンズＬ１２、正の第１４レンズＬ１４および正の第１５レンズＬ１５である。
【００５５】
また、実施例３の前玉有効径はφ38.4ｍｍであり広角レンズのコンパクト化を図ることができる。
【００５６】
さらに、図４は無限遠および至近にフォーカス調整した場合の実施例３における諸収差（球面収差、非点収差、ディストーション、倍率色収差、コマ収差）を示す収差図である。図４から明らかなように、実施例３の撮像レンズは諸収差が良好なものとされている。
【００５７】
＜実施例４＞
実施例４に係る撮像レンズの構成および作用は実施例１とほぼ同様であるが、主として、第１ａレンズ群Ｇ１ａが５枚レンズ構成とされ、最も物体側から４枚のレンズＬ１〜Ｌ４が負レンズとされ、それに続く１枚のレンズＬ５が正レンズとされている点等において異なっている。
【００５８】
この実施例４に係る撮像レンズの各レンズ面の曲率半径Ｒ（ｍｍ）、各レンズの中心厚および各レンズ間の空気間隔Ｄ（ｍｍ）、各レンズのｄ線における、屈折率Ｎおよびアッベ数νの値は表４に示すようになっている。
【００５９】
【表４】
0004405128.tif 000005
【００６０】
なお、実施例４における、全系の焦点距離ｆ´（ｍｍ）、バックフォーカスＢｆ´（ｍｍ）およびＦナンバＦｎｏ、ならびに条件式（１）および条件式（２）に係る値を表４の下段に示す。表４に示すように条件式（１）、（２）はともに満足されている。ここで、実施例４において異常分散性のガラス材料からなるレンズは、負の第６レンズＬ６、負の第８レンズＬ８、正の第１３レンズＬ１３、正の第１５レンズＬ１５および正の第１６レンズＬ１６である。
【００６１】
また、実施例４の前玉有効径はφ36.6ｍｍであり広角レンズのコンパクト化を図ることができる。
【００６２】
さらに、図５は無限遠および至近にフォーカス調整した場合の実施例４における諸収差（球面収差、非点収差、ディストーション、倍率色収差、コマ収差）を示す収差図である。図５から明らかなように、実施例４の撮像レンズは諸収差が良好なものとされている。
【００６３】
なお、本発明の撮像レンズとしては、上記実施例のものに限られるものではなく種々の態様の変更が可能であり、例えば各レンズ群を構成するレンズの形状、およびレンズの枚数は適宜選択し得る。
また、本発明の撮像装置としても、前述したテレビ放送用撮像カメラの他、種々の撮像装置に適用可能である。
【００６４】
【発明の効果】
以上説明したように本発明の撮像レンズおよび撮像装置によれば、第１レンズ群を、物体側から複数枚の負レンズと結像面側に凸面を向けた1枚の正メニスカスレンズをこの順に配列するように構成しているため、光線軌跡を結像面側からみた場合、該正レンズによって一旦絞り込まれ、次に複数枚の負レンズによって大きく発散せしめられる状態となるため、前玉有効径を小さなものとしつつ広画角化を達成することができ、レンズ系全体のコンパクト化を達成することができる。
【００６５】
また、この撮像レンズは、無限遠物点から至近物点にフォーカシングする際には、第１ｂレンズ群の単独負レンズのみを光軸に沿って物体側に移動させて行なうインナーフォーカスタイプとすることで、駆動力が小さくてすみ、フォーカシングを行うためのメカ的機構が簡易となり、製造コストも廉価となる。また、フォーカシングを行なう際に、物体距離の変化に伴なう像面特性が向上し、フォーカシングに伴なう画角変動を抑制することが可能となる。
【００６６】
また、第２レンズ群Ｇ２中に少なくとも１枚の異常分散性ガラスからなる正レンズを含むとともに、第１レンズ群Ｇ１中に、異常分散性を表す所定の条件式を満足する負レンズを少なくとも１枚含むように構成することで、第２レンズ群Ｇ２中の異常分散性ガラスからなる正レンズにおいて生じる、温度変化に伴うバックフォーカスの変化を相殺することができるので、温度変化に伴うバックフォーカスの変化量を大きくすることなく色収差を良好に補正することができる。
【図面の簡単な説明】
【図１】本発明の実施例１に係る撮像レンズの構成図
【図２】無限遠および至近にフォーカス調整した場合の実施例１における諸収差（球面収差、非点収差、ディストーション、倍率色収差、コマ収差）を示す収差図
【図３】無限遠および至近にフォーカス調整した場合の実施例２における諸収差（球面収差、非点収差、ディストーション、倍率色収差、コマ収差）を示す収差図
【図４】無限遠および至近にフォーカス調整した場合の実施例３における諸収差（球面収差、非点収差、ディストーション、倍率色収差、コマ収差）を示す収差図
【図５】無限遠および至近にフォーカス調整した場合の実施例４における諸収差（球面収差、非点収差、ディストーション、倍率色収差、コマ収差）を示す収差図
【符号の説明】
Ｌ１〜Ｌ１６      レンズ
Ｒ１〜Ｒ３２      レンズ等の面の曲率半径
Ｄ１〜Ｄ３１      レンズ等の面間隔（レンズ厚）
Ｘ              光軸
１              結像面
２              ３色分解光学系
３              絞り
【図１】
0004405128.tif 000006
【図２】
0004405128.tif 000007
【図３】
0004405128.tif 000008
【図４】
0004405128.tif 000009
【図５】
0004405128.tif 000010